(57)【要約】      （修正有）【課題】建築物の工事に関する連絡事項の伝達の利便性および効率を上げることができる工事用付箋を提供する。【解決手段】略矩形形状の複数の付箋片を積層した工事用付箋であって、複数の付箋片の少なくとも一枚は、工事に関する事項を予め表示した表示領域を有する第１面と、少なくとも一部に剥離可能な粘着部を有する第２面と、を備える。【選択図】図１
0003230406.tif 000002
【実用新案登録請求の範囲】
【請求項１】
略矩形形状の複数の付箋片を積層した工事用付箋であって、
前記複数の付箋片の少なくとも一枚は、
工事に関する事項を予め表示した表示領域を有する第１面と、
少なくとも一部に剥離可能な粘着部を有する第２面と、を備える
ことを特徴とする工事用付箋。
【請求項２】
請求項１に記載の工事用付箋であって、
前記粘着部は、前記第２面の長手方向の一端部側に設けられ、
前記第１面には、前記粘着部が設けられた一端部側を向く矢印が表示されている
ことを特徴とする工事用付箋。
【請求項３】
請求項１または２に記載の工事用付箋であって、
前記表示領域には、前記工事に関する事項として、修理または検査の内容を示す文字列が表示されている
ことを特徴とする工事用付箋。
【考案の詳細な説明】
【技術分野】
【０００１】
本考案は、工事用付箋に関する。
【背景技術】
【０００２】
住宅竣工検査、リフォーム等においては、検査および修理すべき箇所にマスキングテープ等を貼り付けて目印としている。
【０００３】
特許文献１には、竣工検査において、不具合箇所を発見指摘したら、マスキングテープを貼り、後日、是正工事を行う時、場所が分かるようにすることが記載されている。
【先行技術文献】
【特許文献】
【０００４】
【特許文献１】特開２００５−１９０４６３号公報
【考案の概要】
【考案が解決しようとする課題】
【０００５】
竣工検査におけるマスキングテープは、是正が必要な箇所を認識させるものであり、マスキングテープは、是正箇所を特定する以外の情報を提示するものではない。また、是正内容等の情報については、その場で記入する必要があり手間がかかる。
【０００６】
本考案は、上記課題の少なくとも一つを解決し、竣工検査、リフォーム等の建築物に関する工事に関し、是正箇所および是正内容の指摘、作業終了等の連絡事項の伝達の利便性および効率を上げることができる工事用付箋を提供することを目的とする。
【課題を解決するための手段】
【０００７】
本考案は、上記課題の少なくとも１つを解決するものであるが、その例を挙げるならば、次の通りである。すなわち、本考案の一態様である工事用付箋は、略矩形形状の複数の付箋片を積層した工事用付箋であって、前記複数の付箋片の少なくとも一枚は、工事に関する事項を予め表示した表示領域を有する第１面と、少なくとも一部に剥離可能な粘着部を有する第２面と、を備えることを特徴とする。
【０００８】
前記粘着層は、前記第２面の長手方向の一端部側に設けられ、前記第１面には、前記粘着部が設けられた一端部側を向く矢印が表示されていてもよい。
【０００９】
前記表示領域には、前記工事に関する事項として、修理または検査の内容を示す文字列が表示されていてもよい。
【考案の効果】
【００１０】
本考案によれば、建築物の工事に関する連絡事項の伝達の利便性および効率を上げることができる工事用付箋が提供される。
【００１１】
上記した以外の課題、構成および効果は、以下の実施形態の説明により明らかにされる。
【図面の簡単な説明】
【００１２】
【図１】本実施形態に係る工事用付箋の一例を示す図である。
【図２】本実施形態に係る工事用付箋に表示される文字列の一例を示す図である。
【図３】本実施形態の変形例に係る工事用付箋に表示される文字列の一例を示す図である。
【考案を実施するための形態】
【００１３】
本考案の実施形態の例について、以下、図に基づいて説明する。本考案において、構成要素等の形状、位置関係等に言及する場合は、特に明示した場合および原理的に明らかにそうでないと考えられる場合等を除き、実質的にその形状等に近似または類似するもの等を含むものとする。
【００１４】
図１は、本実施形態に係る工事用付箋１の一例を示す図である。図１（ａ）は、付箋片２を重ねて積層させた積層体である工事用付箋１の斜視図、図１（ｂ）は、付箋片２の第１面を示す平面図、図１（ｃ）は、付箋片２の第２面を示す平面図である。本実施形態に係る工事用付箋１は、例えば、住宅工事の修繕箇所に貼り付けて使用される。なお、本実施形態において、工事用付箋１と記載されている場合は、特に限定しない限り、１枚の付箋片２および付箋片２の積層体のいずれの場合も含むものとする。
【００１５】
工事用付箋１は、略矩形形状の複数の付箋片２が積層され、各付箋片２は、第１面１０と、第１面１０と反対側の第２面２０とを備えている。工事用付箋１の各付箋片２は、本実施形態では、長方形をしているが、正方形、三角形等の形状をしていてもよい。
【００１６】
第１面１０は、表示領域１１を有し、工事に関する事項が予め表示されている。表示領域１１は、第１面１０の全面であってもよいし、第１面１０の半分程度であってもよい。本実施形態では、表示領域１１は、第１面１０の全面であるとする。表示領域１１には、工事に関する事項として、修理または検査の内容を示す文字列１２が表示されている。
【００１７】
図２は、本実施形態に係る工事用付箋１に表示される文字列１２の一例を示す図である。文字列１２は、付箋片２の長手方向に沿って縦書き、横書きのいずれで表示されていてもよい。
【００１８】
工事に関する事項として表示される、修理または検査の内容を示す文字列１２は、例えば、「是正」、「クロス是正」、「クロス隙間」、「クロス継手」、「クリーニング」等である。また、第１面１０には、修理などの工事箇所等を認識し易くするために矢印１３が表示されている。矢印１３は、白抜き、塗りつぶしのいずれの表示であってもよい。また、第１面には、矢印１３のみ表示されていてもよい。また、表示領域１１を空欄とし、特別に記載したい内容があった場合に、使用者が文字列等を記入して使用することができてもよい。
【００１９】
図１を参照すると、第２面２０は、剥離可能な粘着部２１を有している。粘着部２１は、付箋片２の長手方向の一端部側に設けられている。粘着部２１の粘着剤は、公知の材料が用いられ、積層された工事用付箋１の状態から付箋片２を一度剥離して、修理箇所などに貼付可能な程度の粘着度を有するものであればよい。
【００２０】
第１面１０に表示された矢印１３は、第２面２０の粘着部２１が設けられた一端部側を向くように表示される。また、粘着部２１に近い部分に表示される。本実施形態では、粘着部２１が設けられた部分に対応する第１面１０側に矢印１３が表示されている。粘着部２１に近い部分に矢印１３が表示されることで、矢印１３部分がはっきり見えるため、矢印１３部分を認識し易くなり、検査箇所や修理箇所が明確となる。ただし、矢印１３の位置は限定されず、粘着部２１が設けられた一端部側と反対側の端部を向くように表示されていてもよいし、粘着部２１が設けられた一端部側と反対側の端部側に表示されていてもよい。
【００２１】
工事用付箋１は、修理または検査の内容を示す文字列１２が異なる複数種類の付箋片２を積層して、１セットの工事用付箋１とすることができる。
【００２２】
あるいは、工事用付箋１は、同じ内容の文字列１２を表示した付箋片２を積層して１セットとし、複数種類の各セットを積層したものであってもよい。また、文字列１２の種類ごとに付箋片２の長さを変えたものであってもよい。文字列１２の種類ごとに付箋片２の長さが異なれば、使用したい付箋片２を探しやすくなる。
【００２３】
本実施形態の工事用付箋１によれば、修理または検査の内容を示す文字列１２を予め付箋片２に印刷等により表示しておくことで、マスキングテープ等に修理内容等を記入して貼る必要がなくなるため、利便性を上げることができ、一人作業の場合でも効率的に作業を行うことができる。
【００２４】
図３は、本実施形態の変形例に係る工事用付箋１に表示される文字列１２ａの一例を示す図である。本変形例では、図３（ａ）に示すように、第２面２０の粘着部２１に該当する第１面１０の部分１４に色が付けられている。矢印１３は、着色部分を避けて長手方向の中央寄りに配置されている。修理箇所等に貼付された部分１４に色が付いていることで、矢印１３部分が風などで捲れ上がってしまっても、修理箇所等があることを認識することができる。
【００２５】
また、他の変形例では、図３（ｂ）に示すように、第２面２０の粘着部２１に該当する部分１５が透明になっている。矢印１３は、透明部分を避けて長手方向の中央寄りに配置されている。修理箇所等に貼付される部分１５が透明になっていることで、キズなどの修理箇所を把握し易くなる。なお、文字列１２ａは、特に重要な内容については、太字で表示する等、他の文字列と識別し易くしてもよい。
【００２６】
以上、本考案に係る工事用付箋の実施形態について説明したが、これらは本考案の実施形態の一例に過ぎず、本考案はこれらに限定されるものではない。本考案には、上記の各実施形態を組み合わせた形態や、様々な変形例が含まれる。上記いずれかの工事用付箋が、他の実施形態の特徴を併せ持つものであってもよい。また、実施形態の中で説明した特徴の組み合わせの全てが考案の課題を解決するための手段に必須であるとは限らない点に留意すべきである。
【符号の説明】
【００２７】
１：工事用付箋
２：付箋片
１０：第１面
１１：表示領域
１２：文字列
１３：矢印
２０：第２面
２１：粘着部
【図１】
0003230406.tif 000003
【図２】
0003230406.tif 000004
【図３】
0003230406.tif 000005